(57)【要約】【課題】高温で成分間の化学反応を行って消火物質を生成する消火組成物を提供すること。【解決手段】難燃剤と、酸化剤と、還元剤と、接着剤と、を含み、難燃剤を５０質量％〜９０質量％、酸化剤を５質量％〜３０質量％、還元剤を５質量％〜１０質量％、接着剤を０質量％〜１０質量％含有し、使用する場合、花火類薬剤を熱エネルギーソース及び動力ソースとし、花火類薬剤を燃焼させて、酸化剤と還元剤を反応させて消火活性物質を生成して消火する。外部の熱源がないと当該組成物自体は燃焼しない点で既存のエーロゾル発生剤と異なる。本発明によると、既存のエーロゾル発生剤に比べ、さらに効率的に安全な消火組成物を提供できる。【特許請求の範囲】
【請求項１】
高温で成分間の化学反応を行って消火物質を生成する消火組成物であって、
難燃剤と、酸化剤と、還元剤と、接着剤と、を含み、
難燃剤を約５０質量％〜９０質量％、酸化剤を約５質量％〜３０質量％、還元剤を約５質量％〜１０質量％、接着剤を約０質量％〜１０質量％含有し、
使用する場合、花火類薬剤を熱エネルギソース及び動力ソースとし、花火類薬剤を燃焼させて、酸化剤と還元剤を反応させて消火活性物質を生成して消火することを特徴とする消火組成物。
【請求項２】
前記難燃剤が、臭素系難燃剤、塩素系難燃剤、有機リン系難燃剤、リン-ハロゲン系難燃剤、窒素系及びリン-窒素系難燃剤又は無機難燃剤であることを特徴とする請求項１に記載の消火組成物。
【請求項３】
前記臭素系難燃剤が、テトラブロモビスフェノールＡ、テトラブロモビスフェノールＡエーテル、１,２-ビス(トリブロモフェノキシ)エタン、２,４,６-トリブロモフェニル、無水テトラブロモフタル酸、１,２-ビス-(テトラブロモ-フタルイミド)エタン、４-ブロモフタル酸ジメチル、テトラブロモフタル酸ジナトリウム、デカブロモジフェニルエーテル、テトラデカブロモジフェノキシベンゼン、１,２-ビス(ペンタブロモフェニル)エタン、BTMPI、ペンタブロモベンジルアクリレート、ペンタブロモベンジルブロミド、ヘキサブロモベンゼン、ペンタブロモトルエン、２,４,６-トリクロロフェニルマレイミド、ヘキサブロモシクロドデカン、Ｎ,Ｎ’-１,２-ビス（ジブロモノルボルネンジカルボキシイミド）エチレン、ペンタブロモクロロヘキサン、トリス(２,３-ジブロモプロピル)イソシアヌレート、臭素化スチレン重合体、テトラブロモビスフェノールＡ炭酸エステルオリゴマー、ポリペンタブロモベンジルアクリレート又はポリジブロモフェニレンエーテルであることを特徴とする請求項２に記載の消火組成物。
【請求項４】
前記塩素系難燃剤がDechlorane Plus、無水マイレン酸、マイレックス、テトラクロロビスフェノールＡ、４-クロロフタル酸無水物、ヘキサクロロベンゼン、塩素化ポリプロピレン、塩素化ポリエチレン、塩化ビニル酢酸ビニル共重合体（vinyl chloride-vinylidene chloride copolymer）、塩素化ポリエーテル又はヘキサクロルエタンであることを特徴とする請求項２に記載の消火組成物。
【請求項５】
前記有機リン系難燃剤が、１-オクソ-４-ヒドロキシメチル-２,６,７-トリオキサ-１-ホスファビシクロ[２,２,２]オクタン、２,２-ジメチル-１,３-プロピレングリコ-ル-ジ（ネオペンチルグリコール）ビスホスホネート、９,１０-ジヒドロ-９-オキサ-１０-ホスファフェナントレン-１０酸化物、４,４'-(フェニルホスフィニリデン)ビス安息香酸、ビス(４-ヒドロキシフェニル)フェニルホスフィンオキシド又はポリスルホニルジフェニレンフェニルホスホン酸エステルオリゴマーであることを特徴とする請求項２に記載の消火組成物。
【請求項６】
前記リン-ハロゲン系難燃剤がトリ（２,２-ジ（ブロモメチル）-３-ブロモプロピル）リン酸エステル、トリ（２ブロモフェニル）リン酸エステル、３,９-ビス（トリブロモフェニル）-２,４,８,１０，-テトラオキサ-３,９-ジホスファスピロ[５,５]-３,９-ジオキサウンデカン、３,９-ビス（ペンタブロモフェノキシ）-２,４,８,１０，-テトラオキサ-３,９-ジホスファスピロ[５,５]-３,９-ジオキサウンデカン、１-オクソ-４-トリブロモベンゼンカルボベンゾキシ-２,６,７-トリオキサ-１-ホスファビシクロ[２,２,２]オクタン、テトラメチル-p-フェニレン（２,４,６-トリブロモフェニル）ビスホスホネート、２,２-ジ（クロロメチル）-１,３-プロピレングリコール-ジ（ネオペンチルグリコ-ル）ビスホスホネート又は２,９-ジ（トリブロモネオペンチル）-２,４,８,１０-テトラオキサ-３,９-ジホスファスピロ[５,５]-３,９-ジオキサウンデカンであることを特徴とする請求項２に記載の消火組成物。
【請求項７】
前記窒素系及びリン-窒素系難燃剤が、シアヌル酸トリポリシアナミド、メラミンりん酸塩、オルトリン酸二トリポリシアナミド、ポリリン酸トリポリシアナミド、ホウ酸トリポリシアナミド、オクタモリブデン酸トリポリシアナミド、シアヌル酸、トリス（２-ヒドロキシエチル）イソシアヌル酸エステル、２,４-ジアミノ-６-（３,３,３-３クロロプロピル）-１,３,５-トリアジン、２,４-二（Ｎ-ヒドロキシメチルアミノ）-６-（３,３,３-３クロロプロピル-１,３,５-トリアジン）、リン酸水素二グアニジン、リン酸ジヒドログアニジン、炭酸グアニジン、スルファミン酸グアニジン、尿素、リン酸ジヒドロ尿素、ビスシアナミド、ビス（２,６,７-トリオキサ-１-リン酸-ビシクロ[２,２,２]オクタン-１-オキシ-４-メチル）ヒドロキシルリン酸エステルトリポリシアナミド、３,９-ジヒドロキシル-３,９-ジオキシ-２,４,８,１０-テトラオキサ-３,９-ジホスファスピロ[５,５]ヘンデカン-３,９-ジトリポリシアナミド、１,２-ジ（２-オクソ-５,５-ジメチル-１,３-ジオキサオクト-２-リン酸ヘテロシクロヘキシル-２-アミノ）エタン、Ｎ,Ｎ’-ビス（２-オクソ-５,５-ジメチル-１,３-ジオキサオクト-２-リン酸ヘテロシクロヘキシル）-２,２’-ｍ−フェニレンジアミン、トリ（２-オクソ-５,５-ジメチル-１,３-ジオキサオクト-２-ヘテロシクロヘキシル-２-メチル）アミン又はホスホニトリル酸クロリド三量体であることを特徴とする請求項２に記載の消火組成物。
【請求項８】
前記無機難燃剤が、ポリリン酸アンモニウム、リン酸水素二アンモニウム、リン酸ジヒドロアンモニウム、リン酸亜鉛、りん酸アルミニウム、リン酸ホウ素、三酸化二アンチモン、水酸化アルミニウム、水酸化マグネシウム、ハイドロマグネサイト、塩基性シュウ酸アルミニウム、ほう酸亜鉛、メタほう酸バリウム、酸化亜鉛、硫化亜鉛、硫酸亜鉛七水和物、ほう酸アルミニウムホイスカ、オクタモリブデン酸アンモニウム、モリブデン酸アンモニウム、スズ酸亜鉛、酸化すず、二酸化すず、フェロセン、アセトン鉄、酸化第二鉄、四酸化トリ鉄、臭化アンモニウム、タングステン酸ナトリウム、六フッ化チタン酸カリウム、六フッ化ジルコン酸カリウム、二酸化チタン、炭酸カルシウム、硫酸バリウム、炭酸水素ナトリウム、炭酸水素カリウム、炭酸コバルト、炭酸亜鉛、塩基性炭酸亜鉛、重質炭酸マグネシウム、塩基性炭酸マグネシウム、炭酸マンガン、炭酸鉄、炭酸ストロンチウム、炭酸ナトリウムカリウム六水和物、炭酸マグネシウム、炭酸カルシウム、ドロマイト、塩基性炭酸銅、炭酸ジルコニウム、炭酸ベリリウム、セスキ炭酸ナトリウム、炭酸セリウム、炭酸ランタン、炭酸グアニジン、炭酸リチウム、炭酸スカンジウム、炭酸バナジウム、炭酸クロミウム、炭酸ニッケル、炭酸イットリウム、炭酸銀、炭酸プラセオジム、炭酸ネオジム、炭酸サマリウム、炭酸ユーロピウム、炭酸ガドリニウム、炭酸テルビウム、炭酸ジスプロシウム、炭酸ホルミウム、炭酸エルビウム、炭酸ツリウム、炭酸イッテルビウム、炭酸ルテチウム、ヒドロキシ酢酸アルミニウム、酢酸カルシウム、硫酸水素ナトリウム、酢酸ナトリウム、酢酸カリウム、酢酸亜鉛、酢酸ストロンチウム、酢酸ニッケル、酢酸銅、シュウ酸ナトリウム、シュウ酸カリウム、シュウ酸アンモニウム、シュウ酸ニッケル、シュウ酸二水和物、鉄窒化物、硝酸ジルコニウム、リン酸ジヒドロカルシウム、リン酸ジヒドロナトリウム、リン酸ジヒドロナトリウム二水和物、リン酸ジヒドロカリウム、リン酸ジヒドロアルミニウム、リン酸ジヒドロアンモニウム、リン酸ジヒドロ亜鉛、リン酸ジヒドロマンガン、リン酸ジヒドロマグネシウム、リン酸水素二ナトリウム、リン酸水素二アンモニウム、リン酸水素カルシウム、リン酸水素マグネシウム、リン酸アンモニウム、リン酸アンモニウムマグネシウム、ポリリン酸アンモニウム、メタリン酸カリウム、トリポリリン酸カリウム、トリメタリン酸ナトリウム、次亜リン酸アンモニウム、亜リン酸ジヒドロアンモニウム、リン酸マンガン、リン酸水素二亜鉛、リン酸水素二マンガン、リン酸グアニジン、リン酸メラミン塩、リン酸尿素、リン酸水素二メタホウ酸ストロンチウム、リン酸水素二メタホウ酸ストロンチウムカリウム、ホウ酸、五ホウ酸アンモニウム、四ホウ酸カリウム八水和物、メタホウ酸マグネシウム八水和物、四ホウ酸アンモニウム四水和物、メタホウ酸ストロンチウム、四ホウ酸ストロンチウム、四ホウ酸ストロンチウム四水和物、四ホウ酸ナトリウム十水和物、ホウ酸マンガン、ほう酸亜鉛、弗素ホウ酸アンモニウム、硫酸亜鉄アンモニウム、硫酸アルミニウム、硫酸アルミニウムカリウム、硫酸アルミニウムアンモニウム、硫酸アンモニウム、硫酸水素マグネシウム、水酸化アルミニウム、水酸化マグネシウム、水酸化鉄、水酸化コバルト、水酸化ビスマス、水酸化ストロンチウム、水酸化セリウム、水酸化ランタン、水酸化モリブデン、モリブデン酸アンモニウム、スズ酸亜鉛、トリ珪酸マグネシウム、テルル酸、タングステン酸マンガン、水マンガン鉱、コバルトセン又はその組合せであることを特徴とする請求項２に記載の消火組成物。
【請求項９】
前記難燃剤が、５-アミノテトラゾール、アゾジカーボンアミド、ナイロン粉、オキサミド、ビウレット素、ペンタエリスリトール、デカブロモジフェニルエーテル、無水テトラブロモフタル酸、ジブロモネオペンチルグリコール、クエン酸カリウム、クエン酸ナトリウム、クエン酸マンガン、クエン酸マグネシウム、クエン酸銅又はクエン酸アンモニウムであることを特徴とする請求項２に記載の消火組成物。
【請求項１０】
前記酸化剤が、硝酸ナトリウム、硝酸マグネシウム、酸化鉄、硝酸バリウム、硝酸ストロンチウム、硝酸カリウムの中の一つ又は複数であることを特徴とする請求項１又は２に記載の消火組成物。
【請求項１１】
前記還元剤が、マグネシウム、炭素、アルミニウム、鉄、硝酸グアニジン、ニトロ基グアニジン、トリポリシアナミドの中の一つ又は複数であることを特徴とする請求項１又は２に記載の消火組成物。
【請求項１２】
前記接着剤が、水ガラス、フェノール樹脂、ラック、でんぷんの中の一つ又は複数であることを特徴とする請求項１又は２に記載の消火組成物。
【請求項１３】
前記花火類薬剤が花火類エーロゾル消化剤であることを特徴とする請求項１乃至１２のいずれかに記載の消火組成物。
【発明の詳細な説明】
【技術分野】
【０００１】
本発明は、消防分野に関し、具体的には、消火組成物、化学消火物質の使用に関し、特に、高温で化学反応を行って消火物質を生成する消火組成物に関する。
【背景技術】
【０００２】
ＨＡＬＯＮシステムが地球の大気オゾン層を厳重に破壊していることが分かってから、国際社会及び我が国の政府はＨＡＬＯＮシステムを淘汰する行動を行っていて、気体消火システム、粉消火システム、水系消火システム等は、環境に無害であるので、ＨＡＬＯＮ消火剤の代わりのものとして汎用されている。
【０００３】
二酸化炭素、ＩＧ５４１等の不活性気体消火システムの消火メカニズムは主に、物理消火で、火災発生地の酸素濃度の低減による窒息消火を行い、このような消火方式によると、人員の人身安全を脅す恐れがあって、粉消火システムによると、加圧気体の作用で噴射される粉を火炎に接触させ、物理化学抑制作用による消火を行い、水系消火システムによると、霧の冷却、窒息、熱輻射の隔離の三種作用で火災を抑制して消す目的を実現する。
【０００４】
しかし、上記消火システムによると、いずれも高圧貯蔵を行わなければならなく、体積が大きいと共に、貯蔵中に物理的に爆発するリスクも存在し、文献「気体消火システムの安全性分析」（消防科学と技術２００２  ２１(５)）にて気体消火システムに存在するリスクを分析していて、使用中に発生した貯蔵気体消火システムの安全事故が上げられている。
【０００５】
エ-ロゾル消火技術は、無毒、無腐食、高容積効率、長貯蔵周期、全埋もれ、全面消火等の特徴を有するので、注目を集めていて、前世紀末から現在までの十数年間、エ-ロゾル技術は高速に発展していて、関連する特許も次々と現れている。例えば、ロシア特許であるＲＵ２２３０７２６、ＲＵ２１８４５８７、ＲＵ２２１４８４８、ＲＵ２１５０３１０、ＲＵ２１０８１２４、ＲＵ２０９１１０６、ＲＵ２０７６７６１と、中国特許ＣＮ１７３９８２０Ａ、ＣＮ１１５０９５２Ｃ、ＣＮ１２２２３３１Ｃ等がある。
【０００６】
既存のエ-ロゾル消火は、自体による消火活性が冷却層のろ過を経て厳重に低減され、消火効果に影響を与える問題点が存在する。
【発明の概要】
【発明が解決しようとする課題】
【０００７】
上記研究状況に対し、本発明において高温で化学反応して消火物質を生成する組成物を消火器に応用する。本発明は、圧力貯蔵する必要がなく、一層安全で、環境保護に一層効果的な消火組成物を提供することを目的とする。
【課題を解決するための手段】
【０００８】
本発明は、高温で成分間化学反応を行って消火物質を生成する組成物であって、難燃剤と、酸化剤と、還元剤と、接着剤を含むことを特徴とする。各成分の含有量は、難燃剤が５０質量％〜９０質量％で、酸化剤が５質量％〜３０質量％で、還元剤が５質量％〜１０質量％で、接着剤が０質量％〜１０質量％である。使用する場合、花火類薬剤を熱エネルギ-ソ-ス及び動力ソ-スとし、花火類薬剤を燃焼させて、酸化剤と還元剤を反応させて消火活性物質を生成して消火する。
【０００９】
前記難燃剤は、臭素系難燃剤、塩素系難燃剤、有機リン系難燃剤、リン-ハロゲン系難燃剤、窒素系及びリン-窒素系難燃剤、無機難燃剤の中の一つ又は複数である。
【００１０】
前記臭素系難燃剤は、テトラブロモビスフェノ-ルＡ、テトラブロモビスフェノ-ルＡエ-テル、１,２--ビス(トリブロモフェノキシ)エタン、２,４,６--トリブロモフェニル、無水テトラブロモフタル酸、１,２--ビス(テトラブロモ--フタルイミド)エタン、４--ブロモフタル酸ジメチル、テトラブロモフタル酸ジナトリウム、デカブロモジフェニルエ-テル、テトラデカブロモジフェノキシベンゼン、１,２--ビス(ペンタブロモフェニル)エタン、BTMPI、ペンタブロモベンジルアクリレ-ト、ペンタブロモベンジルブロミド、ヘキサブロモベンゼン、ペンタブロモトルエン、２,４,６--トリクロロフェニルマレイミドマレイミド、ヘキサブロモシクロドデカン、Ｎ,Ｎ’-1,2-ビス（ジブロモノルボルネンジカルボキシイミド）エチレン、ペンタブロモクロロヘキサン、トリス(２,３-ジブロモプロピル)イソシアヌレ-ト、臭素化スチレン重合体、テトラブロモビスフェノ-ルＡ炭酸エステルオリゴマ-、ポリペンタブロモベンジルアクリレ-ト、ポリジブロモフェニレンエ-テルである。
【００１１】
前記塩素系難燃剤は、無水マイレン酸、マイレックス、テトラクロロビスフェノ-ルＡ、４--クロロフタル酸無水物、ヘキサクロロベンゼン、塩素化ポリプロピレン、塩素化ポリエチレン、塩化ビニル酢酸ビニル共重合体（vinyl chloride-vinylidene chloride copolymer）、塩素化ポリエ-テル、ヘキサクロルエタンである。
【００１２】
前記有機リン系難燃剤は、１--オクソ--４--ヒドロキシメチル--２,６,７--トリオキサ--１--ホスファビシクロ[２,２,２]オクタン、２,２--ジメチル--１,３--プロピレングリコ-ル--ジ（ネオペンチルグリコ-ル）ビスホスホネ-ト、９,１０--ジヒドロ--９--オキサ--１０--ホスファフェナントレン--１０酸化物、４,４'--(フェニルホスフィニリデン)ビス安息香酸、ビス(４--ヒドロキシフェニル)フェニルホスフィンオキシド、ポリスルホニルジフェニレンフェニルホスホン酸エステルオリゴマ-である。
【００１３】
前記リン-ハロゲン系難燃剤は、トリ（２,２--ジ（ブロモメチル）-３-ブロモプロピル）リン酸エステル、トリ（２ブロモフェニル）リン酸エステル、３,９-ビス（トリブロモフェニル）-２,４,８,１０-テトラオキサ-３,９-ジホスファスピロ[５,５]-３,９-ジオキサウンデカン、３,９-ビス（ペンタブロモフェノキシ）-２,４,８,１０-テトラオキサ-３,９-ジホスファスピロ[５,５]-３,９-ジオキサウンデカン、１-オクソ-４-トリブロモベンゼンカルボベンゾキシ-２,６,７-トリオキサ-１-ホスファビシクロ[２,２,２]オクタン、テトラメチル-p-フェニレン（２,４,６-トリブロモフェニル）ビスホスホネート、２,２-ジ（クロロメチル）-１,３-プロピレングリコール-ジ（ネオペンチルグリコール）ビスホスホネート、２,９-ジ（トリブロモネオペンチル）-２,４,８,１０-テトラオキサ-３,９-ジホスファスピロ[５,５]-３,９-ジオキサウンデカンである。
【００１４】
前記窒素系及びリン-窒素系難燃剤は、シアヌル酸トリポリシアナミド、メラミンりん酸塩、オルトリン酸ジトリポリシアナミド、ポリリン酸トリポリシアナミド、ホウ酸トリポリシアナミド、オクタモリブデン酸トリポリシアナミド、シアヌル酸、トリス（２-ヒドロキシエチル）イソシアヌル酸エステル、２,４-ジアミノ-６-（３,３,３-３クロロプロピル）-１,３,５-トリアジン、２,４-ジ（Ｎ-ヒドロキシメチルアミノ）-６-（３,３,３-３クロロプロピル-１,３,５-トリアジン）、リン酸水素ジグアニジン、リン酸ジヒドログアニジン、炭酸グアニジン、スルファミン酸グアニジン、尿素、リン酸ジヒドロ尿素、ビスシアナミド、ビス（２,６,７-トリオキサ-１-リン酸-ビシクロ[２,２,２]オクタン-１-オキシ-４-メチル）ヒドロキシルリン酸エステルトリポリシアナミド、３,９-ジヒドロキシル-３,９-ジオキシ-２,４,８,１０-テトラオキサ-３,９-ジホスファスピロ[５,５]ヘンデカン-３,９-ジトリポリシアナミド、１,２-ジ（２-オクソ（OXO）-５,５-ジメチル-１,３-ジオキサオクト-２-リン酸ヘテロシクロヘキシル（Phosphorus hetero cyclohexyl）-２-アミノ）エタン、Ｎ,Ｎ’-ビス（２-オクソ（OXO）-５,５-ジメチル-１,３-ジオキサオクト-２-リンシクロヘキシル）-２,２’-ｍ−フェニレンジアミン、トリ（２Ｈ-５,５-ジメチル-１,３-ジオキサオクト-２-シクロヘキシル-２-メチル）アミン、ホスホニトリル酸クロリド三量体である。
【００１５】
前記無機消火材料は、ポリリン酸アンモニウム、リン酸水素二アンモニウム、リン酸ジヒドロアンモニウム、リン酸亜鉛、りん酸アルミニウム、リン酸ホウ素、三酸化二アンチモン、水酸化アルミニウム、水酸化マグネシウム、ハイドロマグネサイト、塩基性シュウ酸アルミニウム、ほう酸亜鉛、メタほう酸バリウム、酸化亜鉛、硫化亜鉛、硫酸亜鉛七水和物、ほう酸アルミニウムホイスカ、オクタモリブデン酸アンモニウム、モリブデン酸アンモニウム、スズ酸亜鉛、酸化すず、二酸化すず、フェロセン、アセトン鉄、酸化第二鉄、四酸化トリ鉄、臭化アンモニウム、タングステン酸ナトリウム、六フッ化チタン酸カリウム、六フッ化ジルコン酸カリウム、二酸化チタン、炭酸カルシウム、硫酸バリウム、炭酸水素ナトリウム、炭酸水素カリウム、炭酸コバルト、炭酸亜鉛、塩基性炭酸亜鉛、重質炭酸マグネシウム、塩基性炭酸マグネシウム、炭酸マンガン、炭酸鉄、炭酸ストロンチウム、炭酸ナトリウムカリウム六水和物、炭酸マグネシウム、炭酸カルシウム、ドロマイト、塩基性炭酸銅、炭酸ジルコニウム、炭酸ベリリウム、セスキ炭酸ナトリウム、炭酸セリウム、炭酸ランタン、炭酸グアニジン、炭酸リチウム、炭酸スカンジウム、炭酸バナジウム、炭酸クロミウム、炭酸ニッケル、炭酸イットリウム、炭酸銀、炭酸プラセオジム、炭酸ネオジム、炭酸サマリウム、炭酸ユーロピウム、炭酸ガドリニウム、炭酸テルビウム、炭酸ジスプロシウム、炭酸ホルミウム、炭酸エルビウム、炭酸ツリウム、炭酸イッテルビウム、炭酸ルテチウム、ヒドロキシ酢酸アルミニウム、酢酸カルシウム、硫酸水素ナトリウム、酢酸ナトリウム、酢酸カリウム、酢酸亜鉛、酢酸ストロンチウム、酢酸ニッケル、酢酸銅、シュウ酸ナトリウム、シュウ酸カリウム、シュウ酸アンモニウム、シュウ酸ニッケル、シュウ酸二水和物、鉄窒化物、硝酸ジルコニウム、リン酸ジヒドロカルシウム、リン酸ジヒドロナトリウム、リン酸ジヒドロナトリウム二水和物、リン酸ジヒドロカリウム、リン酸ジヒドロアルミニウム、リン酸ジヒドロアンモニウム、リン酸ジヒドロ亜鉛、リン酸ジヒドロマンガン、リン酸ジヒドロマグネシウム、リン酸水素二ナトリウム、リン酸水素二アンモニウム、リン酸水素カルシウム、リン酸水素マグネシウム、リン酸アンモニウム、リン酸アンモニウムマグネシウム、ポリリン酸アンモニウム、メタリン酸カリウム、トリポリリン酸カリウム、トリメタリン酸ナトリウム、次亜リン酸アンモニウム、亜リン酸ジヒドロアンモニウム、リン酸マンガン、リン酸水素二亜鉛、リン酸水素二マンガン、リン酸グアニジン、リン酸メラミン塩、リン酸尿素、リン酸水素二メタホウ酸ストロンチウム、カリウム、ホウ酸、五ホウ酸アンモニウム、四ホウ酸カリウム八水和物、メタホウ酸マグネシウム八水和物、四ホウ酸アンモニウム四水和物、メタホウ酸ストロンチウム、四ホウ酸ストロンチウム、四ホウ酸ストロンチウム四水和物、四ホウ酸ナトリウム十水和物、ホウ酸マンガン、ほう酸亜鉛、弗素ホウ酸アンモニウム、硫酸亜鉄アンモニウム、硫酸アルミニウム、硫酸アルミニウムカリウム、硫酸アルミニウムアンモニウム、硫酸アンモニウム、硫酸水素マグネシウム、水酸化アルミニウム、水酸化マグネシウム、水酸化鉄、水酸化コバルト、水酸化ビスマス、水酸化ストロンチウム、水酸化セリウム、水酸化ランタン、水酸化モリブデン、モリブデン酸アンモニウム、スズ酸亜鉛、トリ珪酸マグネシウム、テルル酸、タングステン酸マンガン、水マンガン鉱、コバルトセンである。
【００１６】
前記消火材料は、５-アミノテトラゾ-ル、アゾジカ-ボンアミド、ナイロン粉、オキサミド、ビウレット素、ペンタエリスリト-ル、デカブロモジフェニルエ-テル、無水テトラブロモフタル酸、ジブロモネオペンチルグリコ-ル、クエン酸カリウム、クエン酸ナトリウム、クエン酸マンガン、クエン酸マグネシウム、クエン酸銅、クエン酸アンモニウムであることもできる。
【００１７】
前記酸化剤は、硝酸ナトリウム、硝酸マグネシウム、酸化鉄、硝酸バリウム、硝酸ストロンチウム、硝酸カリウムの中の一つ又は複数である。
【００１８】
前記還元剤は、マグネシウム、炭素、アルミニウム、鉄、硝酸グアニジン、ニトロ基グアニジン、トリポリシアナミドの中の一つ又は複数である。
【００１９】
前記接着剤は、水ガラス、フェノール樹脂、ラック、でんぷんの中の一つ又は複数である。
【００２０】
本発明による消火組成物は、球状、シート状、棒状、塊状、蜂巣状に成型することができ、表面被服処理を行うこともできる。
【００２１】
消火組成物の消火メカニズムは、花火類薬剤を燃焼させて大量の熱を釈放すると、消火組成物中の酸化剤と還元剤が酸化還元反応を行って、大量の消火化成物質を生成して消火する。大量の難燃剤が存在するので、外部の熱源がないと当該組成物自体は燃焼しない点で既存のエーロゾル発生剤と異なる。本発明によると、既存のエーロゾル発生剤に比べ、さらに効率的に安全な消火組成物を提供できる。
【発明を実施するための形態】
【００２２】
得られたシート状の消火組成物３０ｇを、それぞれ２０ｇのＫ型のエーロゾル発生剤が投入された消火装置に投入し、それぞれ、１.０ｍ3試験室にて分布型火炎に消火試験を行った。テスト結果は表１に示す。比較例として、２０ｇの市販のＫ型エーロゾル発生剤を選択した。
【表１】
2013541362.tif 000002
【００２３】
表１に示すように、本発明の実施例１〜７の消火組成物によると、１.０ｍ3試験室にて分布型火炎に消火試験を行った場合の消火性能は２０ｇの市販のＫ型エーロゾル発生剤より優れている。
【００２４】
実験方法は、ＧＡ４９９-２００４の７.１３の濃度分布試験方法に従って、１ｍ3の実験室にて消火試験を行っていて、試験室に合計五つの鋼質の試験タンクを配置し、四つの燃料タンクをそれぞれ実験空間の四つの角に配置し、二つが上、二つが下で交互に配置し、そして、遮断パネル後ろの実験空間の底部に一つの燃料タンクを配置した。燃料タンクにヘプタンを加入した。
【国際調査報告】
2013541362.tif 000003
2013541362.tif 000004
2013541362.tif 000005
2013541362.tif 000006